【手続補正書】
【提出日】平成20年12月15日(2008.12.15)
【手続補正１】
【補正対象書類名】明細書
【補正対象項目名】０００１
【補正方法】変更
【補正の内容】
【０００１】
本発明は、焼成ドロマイト族粉末と角閃石粉末とを所定の割合で混合することにより、抗菌性、脱臭性、抗かび性、ＶＯＣ除外作用を有すると共に、遠赤外線放射特性を有し、且つマイナスイオンを放出してホルミシス効果を有し、更にダイオキシンの発生をも抑制することができる複合セラミックスおよびその製造方法並びに該複合セラミックスを使用した合成樹脂組成物に関するものである。
【手続補正２】
【補正対象書類名】明細書
【補正対象項目名】０００２
【補正方法】変更
【補正の内容】
【０００２】
従来、焼成ドロマイト族および角閃石の粉末を混合した抗菌性、脱臭性、抗かび性、ＶＯＣ除外作用を有すると共に、遠赤外線放射特性を有し、且つマイナスイオンを放出してホルミシス効果を有する複合セラミックスは実用に供されておらず、また更に、ダイオキシンの発生をも抑制することができる複合セラミックスも実用に供されていない。
【手続補正３】
【補正対象書類名】明細書
【補正対象項目名】０００７
【補正方法】変更
【補正の内容】
【０００７】
更に、前記特許文献１には、焼成ドロマイト粉末が抗かび性を有すること、およびＶＯＣ（エチレン、トルエン、ホルムアルデヒド等の揮発成分）を吸着除外する作用を有することも開示されていない。
【手続補正４】
【補正対象書類名】明細書
【補正対象項目名】００１０
【補正方法】変更
【補正の内容】
【００１０】
本発明は、前記観点より発明をなしたもので、抗菌性、脱臭性および抗かび性を有すると共に、ＶＯＣ除外作用を有する焼成ドロマイト族の粉末と、遠赤外線放射特性を有し、且つマイナスイオンを放出してホルミシス効果を有すると共に、励起作用を有する角閃石の粉末とを所定の割合で混合することにより、抗菌および脱臭作用、遠赤外線放射特性を有し、且つマイナスイオンを放出してホルミシス効果を有し、更に、抗かび作用、ＶＯＣ除外作用を有すると共に、合せてダイオキシンの発生抑制作用をも有する複合セラミックスの製造方法である。
【手続補正５】
【補正対象書類名】明細書
【補正対象項目名】００１１
【補正方法】変更
【補正の内容】
【００１１】
前記課題を解決するために、本発明は、ドロマイト族原石の焼成粉末化プロセスにおいて、該ドロマイト族原石を８５０〜１，１００℃の高温で焼成して結晶水のみの含有水分約１重量％以下とし、然る後、前記ドロマイト族原石を水砕処理を施すことなく、破砕機により破砕して粉末状の焼成ドロマイト族粉末とする一方、該焼成ドロマイト族粉末２５〜７５重量％に対して、角閃石粉末２５〜７５重量％を添加混合することを特徴とする抗菌性、脱臭性、抗かび性、ＶＯＣ除外作用を有すると共に、遠赤外線放射特性を有し、且つマイナスイオンを放出してホルミシス効果を有し、更にダイオキシンの発生を抑制する複合セラミックスを製造することを要旨とする。
【手続補正６】
【補正対象書類名】明細書
【補正対象項目名】００１２
【補正方法】変更
【補正の内容】
【００１２】
本発明製造方法によって得られた複合セラミックスを、不織布やレーヨン等の繊維製品に練り込み、またはポリエチレン等の合成樹脂シート、プラスチックタイル等の合成樹脂製ボード等の合成樹脂製品に練り込み、あるいは紙に練り込んで、シャツ等の被服用生地、敷布、壁材、床材、壁紙、その他鮮度保持シート等の生活関連物等、多くの原材料に使用することにより、前記複合セラミックスが保有する抗菌性、脱臭性、抗かび性、ＶＯＣ除外作用、遠赤外線放射特性およびホルミシス効果により、人間の生活環境改善に寄与すると共に、更に前記複合セラミックスを混合したポリ塩化ビニルおよび／またはその共重合体樹脂、あるいはポリ塩化ビニリデンおよび／またはその共重合体樹脂より成る合成樹脂製品は、２００〜３００日程度経過することにより、塩化水素（ＨＣＩ）の結合子が切れて、該塩化水素が水（Ｈ２Ｏ）と塩化ナトリウム（ＮａＣｌ）に分解されて、前記各樹脂製品を、例えば、３５０〜４５０℃程度の低温で焼却処分しても、ダイオキシンの発生量が、法律の規定値である１５０ｐｇ／ｇ以下の数値となることが推定される（環境庁のダイオキシンに関するマニュアルによれば、日数は問わず、ダイオキシンの発生量が、１５０ｐｇ／ｇ以下となることが推定できればよいことになっている）ので、本発明複合セラミックスは、ダイオキシンの発生を抑制して、地球環境改善に寄与することができる。
【手続補正７】
【補正対象書類名】明細書
【補正対象項目名】００１３
【補正方法】変更
【補正の内容】
【００１３】
本発明は、ドロマイト族粉末と角閃石粉末とを所定の割合で混合することにより、抗菌性、脱臭性、抗かび性、ＶＯＣ除外作用を有すると共に、遠赤外線放射特性を有し、且つマイナスイオンを放出してホルミシス効果を有し、更にダイオキシンの発生をも抑制することができる複合セラミックスおよびその製造方法並びに該複合セラミックスを使用した合成樹脂組成物である。
【手続補正８】
【補正対象書類名】明細書
【補正対象項目名】００１４
【補正方法】変更
【補正の内容】
【００１４】
特に、本発明複合セラミックスは、不織布やレーヨン等の繊維製品、ポリエチレン等の合成樹脂シート、プラスチックタイル等の合成樹脂製ボード等の合成樹脂製品、紙等に練り込み、あるいは、シャツ等の被服用生地、敷布、壁材、床材、壁紙、その他鮮度保持シート等の生活関連物等、多くの原材料に使用され、抗菌性、脱臭性、抗かび性、ＶＯＣ除外作用を有すると共に、遠赤外線放射特性を有し、且つマイナスイオンを放出してホルミシス効果により、人間の生活環境改善に寄与すると共に、更には、本発明複合セラミックスを混合したポリ塩化ビニルおよび／またはその共重合体樹脂、あるいはポリ塩化ビニリデンおよび／またはその共重合体樹脂より成る合成樹脂製品は、２００〜３００日程度経過することにより、塩化水素（ＨＣＩ）の結合子が切れて、該塩化水素が水（Ｈ２Ｏ）と塩化ナトリウム（ＮａＣｌ）に分解されて、前記各樹脂製品を、例えば、３５０〜４５０℃程度の低温で焼却処分してもダイオキシンの発生量が法律の規定以下の数値となることが推定され、ダイオキシンの発生を抑制して、地球環境改善に寄与することができる複合セラミックスおよびその製造方法並びに該複合セラミックスを使用した合成樹脂組成物に関するものである。
【手続補正９】
【補正対象書類名】明細書
【補正対象項目名】００２５
【補正方法】変更
【補正の内容】
【００２５】
更に本発明者は、前記焼成ドロマイトによるＶＯＣ（エチレン、トルエン、ホルムアルデヒド等の揮発成分）中、ホルムアルデヒドの除外評価試験を三井化学産資株式会社技術部で行った。
【手続補正１０】
【補正対象書類名】明細書
【補正対象項目名】００２９
【補正方法】変更
【補正の内容】
【００２９】
前記表２の測定結果から、焼成ドロマイトにホルムアルデヒドを除外する効果が明確に認められた。なお、表２中の試料２・３の測定結果から、炭酸リチウムは、ＶＯＣ除外には寄与していないと推定される。また、エチレン、トルエンについては、除外評価試験を行っていないが、焼成ドロマイトが同一揮発成分であるホルムアルデヒドについて除外効果を有しているので、エチレン、トルエンについても当然ながら除外効果を有すると判断できる。なお、前記表２の結果から、焼成ドロマイトによるＶＯＣの経時変化による減衰率は、９８％程度と推定される。
【手続補正１１】
【補正対象書類名】明細書
【補正対象項目名】００６４
【補正方法】変更
【補正の内容】
【００６４】
更に、前記合成樹脂組成物につき、本特許出願人は、メチレンブルー試験により本発明合成樹脂組成物が、脱臭性を有することを確認した。メチレンブルー試験は、一般的に、青色であるメチレンブルー試薬の脱色によって、有機物を分解する能力の有無を判断する試験である。これは、主に光触媒の性能評価方法として用いられており、ファインセラミックスの分野では、２００７年７月にＪＩＳ  Ｒ  １７０３−２「ファインセラミックス−光触媒材料のセルフクリーニング性能試験方法-第２部：湿式分解性能」としてＪＩＳ化された中に、メチレンブルー試薬が用いられている。本試験では、メチレンブルー試薬を脱色することで、有機物を分解する脱臭性を有すると評価した。本試験内容については、ＪＩＳＡ１４５４「高分子系張り床材試験方法」の中の汚染性試験を参考とした。そして、本発明合成樹脂組成物について、各試験体表面にメチレンブルー試薬を約２ｍｌ滴下し、円形の広がることを確認して、４８時間静置した。メチレンブルー試薬は、濃度０．１％と０．０１％の２種類とし、目視によって、滴下部分において全体の青色部の欠けた(脱色した)面積を求めた。その結果、メチレンブルー試薬濃度０．１％で１０〜２５％、濃度０．０１％で３０〜７０％の青色部が欠けた面積を認めた。これにより、本発明合成樹脂組成物が脱臭性を有することを確認できた。